(57)【要約】【課題】ブラインド操作可能に多数のメニュー画像を表示して操作を受け付ける構成において、迅速に所望するメニュー画像を選択することができるようにする。【解決手段】画像を表示する表示部１１と、回転操作部９Ａを傾けることにより、傾けた方向の方向入力が可能な回転操作子による操作部９から、傾き方向情報と、回転情報とを取得する操作情報取得部１３と、表示部１１の表示を制御する表示制御部１４とを備える。表示制御部１４は、メニュー画像配置中心を囲むように複数のメニュー画像を配置したメニュー画面を表示部１１により表示し、傾き方向情報に基づいて、回転操作部９Ａを傾けた方向のメニュー画像にフォーカスを設定し、回転情報に基づいて、回転操作部９Ａの回転により、表示に供するメニュー画面の階層を切り替える。【選択図】図１
2020050054.tif 000002
【特許請求の範囲】
【請求項１】
画像を表示する表示部と、
回転操作部を傾けることにより、傾けた方向の方向入力が可能な回転操作子による操作部から、前記方向入力に係る傾き方向情報と、前記回転操作部の回転操作に係る回転情報とを取得する操作情報取得部と、
前記表示部の表示を制御する表示制御部とを備え、
前記表示制御部は、
メニュー画像配置中心を囲むように複数のメニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える
車両用表示装置。
【請求項２】
前記表示制御部は、
前記回転操作部の一方向への回転により、前記フォーカスが設定された前記メニュー画像に対応する下位階層のメニュー画面に表示を切り替え、
前記回転操作部の前記一方向とは逆方向への回転により、上位階層のメニュー画面に表示を切り替える
請求項１に記載の車両用表示装置。
【請求項３】
前記表示制御部は、
前記回転情報により、前記回転操作部の回転操作量を判定基準値により判定し、
前記回転操作量が前記判定基準値以上の場合、前記一方向とは逆方向への回転により、前記メニュー画面の表示を最上位階層のメニュー画面の表示に切り替える
請求項２に記載の車両用表示装置。
【請求項４】
前記メニュー画面が、リング形状により順次前記メニュー画像を配置したメニュー画面である
請求項１、請求項２、請求項３の何れかに記載の車両用表示装置。
【請求項５】
前記表示部が、ドライバーの前方空間に虚像により前記画像を表示する表示部である
請求項１、請求項２、請求項３、請求項４の何れかに記載の車両用表示装置。
【請求項６】
複数のメニュー画像を表示して前記メニュー画像の選択を受け付ける車両用表示装置の制御方法において、
回転操作部を傾けることにより、傾けた方向の方向入力が可能な回転操作子による操作部から、前記方向入力に係る傾き方向情報と、前記回転操作部の回転操作に係る回転情報とを取得する操作情報取得ステップと、
表示部の表示を制御する表示制御ステップとを備え、
前記表示制御ステップは、
メニュー画像配置中心を囲むように複数の前記メニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える
車両用表示装置の制御方法。
【請求項７】
演算処理回路における実行により所定の処理手順を実行させる車両用表示装置の制御プログラムにおいて、
前記処理手順は、
回転操作部を傾けることにより、傾けた方向の方向入力が可能な回転操作子による操作部から、前記方向入力に係る傾き方向情報と、前記回転操作部の回転操作に係る回転情報とを取得する操作情報取得ステップと、
表示部の表示を制御する表示制御ステップとを備え、
前記表示制御ステップは、
メニュー画像配置中心を囲むように複数のメニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、ヘッドアップディスプレイ装置による車両用表示装置に関して、ドライバーの前方空間に、虚像を表示することにより、ウインドシールドを介して視認されるドライバーの前方視界に、種々の画像を表示する工夫が提案されている。
【０００３】
このような車両用表示装置に関して、特許文献１には、操作部で検出されるドライバーによる指の接触位置の変化による軌跡に対応するように順次メニュー画像を表示するようにして、この指の接触位置によりメニュー画像の選択を受け付ける構成が開示されている。
【０００４】
また特許文献２には、ジョイスティックのように方向入力が可能な回転操作子の構成が開示されている。
【先行技術文献】
【特許文献】
【０００５】
【特許文献１】特開２０１５−０９３５５０号公報
【特許文献２】特表２０１５−５２２４７４号公報
【発明の概要】
【発明が解決しようとする課題】
【０００６】
ところで特許文献１に開示の構成にあっては、ブラインド操作可能に多数のメニュー画像を表示し、さらにはレイアウトを種々に変更してメニュー画像を表示することができ、使い勝手を向上することができる。
しかしながら特許文献１に開示の構成においては、大きく指を移動させることが必要な場合がある。具体的にリング形状に複数のメニュー画像を配置した場合には、最大でこのリング形状の配置の半周分（リング形状に係る軌跡の１８０度分である）、指を移動させることが必要になる。
これによりメニュー画像の選択に時間を要する場合があり、迅速に所望のメニュー画像を選択可能とする観点において、実用上未だ不十分な問題がある。
【０００７】
本発明は以上の点を考慮してなされたものであり、ブラインド操作可能に多数のメニュー画像を表示して操作を受け付ける構成において、迅速に所望するメニュー画像を選択することができる車両用表示装置、車両用表示装置の制御方法、車両用表示装置の制御プログラムを提案することを目的とする。
【課題を解決するための手段】
【０００８】
係る課題を解決するため、請求項１の発明に係る車両用表示装置は、
画像を表示する表示部と、
回転操作部を傾けることにより、傾けた方向の方向入力が可能な回転操作子による操作部から、前記方向入力に係る傾き方向情報と、前記回転操作部の回転操作に係る回転情報とを取得する操作情報取得部と、
前記表示部の表示を制御する表示制御部とを備え、
前記表示制御部は、
メニュー画像配置中心を囲むように複数のメニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える。
【０００９】
請求項１の構成によれば、回転操作部を傾けた方向のメニュー画像にフォーカスを設定することにより、単に回転操作部を所望するメニュー画像の方向に傾けるだけで、メニュー画像のフォーカスを切り替えることができる。これにより例えばリング形状に複数のメニュー画像を配置したメニュー画面において、反対側に配置したメニュー画像にフォーカスを切り替える場合でも、迅速にフォーカスを切り替えることができる。
またこの回転操作部を回転させることにより、フォーカスを切り替えた後、即座にメニュー画面の階層を切り替えることができ、階層構造によるメニュー画面において、ブラインド操作可能に、簡易かつ迅速に、一連の操作を実行することができる。
これらによりブラインド操作可能に多数のメニュー画像を表示して操作を受け付ける構成において、迅速に所望するメニュー画像を選択することができる。
【００１０】
請求項２の発明に係る車両用表示装置は、
請求項１の構成において、
前記表示制御部は、
前記回転操作部の一方向への回転により、前記フォーカスが設定された前記メニュー画像に対応する下位階層のメニュー画面に表示を切り替え、
前記回転操作部の前記一方向とは逆方向への回転により、上位階層のメニュー画面に表示を切り替える。
【００１１】
請求項２の構成によれば、回転操作部の回転方向を切り替えて、メニュー画面の階層を切り替えることができ、一段と迅速に所望するメニュー画像を選択することができる。
【００１２】
請求項３の発明に係る車両用表示装置は、
請求項２の構成において、
前記表示制御部は、
前記回転情報により、前記回転操作部の回転操作量を判定基準値により判定し、
前記回転操作量が前記判定基準値以上の場合、前記一方向とは逆方向への回転により、前記メニュー画面の表示を最上位階層のメニュー画面の表示に切り替える。
【００１３】
請求項３の構成によれば、回転操作部の回転操作量により、途中階層のメニュー画面を飛び越して最上位階層のメニュー画面に表示を切り替えることができ、一段と迅速に所望するメニュー画像を選択することができる。
【００１４】
請求項４の発明に係る車両用表示装置は、
請求項１、請求項２、請求項３の何れかの構成において、
前記メニュー画面が、リング形状により順次前記メニュー画像を配置したメニュー画面である。
【００１５】
請求項４の構成によれば、より具体的構成により、ブラインド操作可能に多数のメニュー画像を表示して操作を受け付ける構成において、迅速に所望するメニュー画像を選択することができる。
【００１６】
請求項５の発明に係る車両用表示装置は、
請求項１、請求項２、請求項３、請求項４の何れかの構成において、
前記表示部が、ドライバーの前方空間に虚像により前記画像を表示する表示部である。
【００１７】
請求項５の構成によれば、ヘッドアップディスプレイ装置等の構成に適用して、ブラインド操作可能に多数のメニュー画像を表示して操作を受け付ける構成において、迅速に所望するメニュー画像を選択することができる。
【００１８】
請求項６の発明は、複数のメニュー画像を表示して前記メニュー画像の選択を受け付ける車両用表示装置の制御方法において、
回転操作部を傾けることにより、傾けた方向の方向入力が可能な回転操作子による操作部から、前記方向入力に係る傾き方向情報と、前記回転操作部の回転操作に係る回転情報とを取得する操作情報取得ステップと、
表示部の表示を制御する表示制御ステップとを備え、
前記表示制御ステップは、
メニュー画像配置中心を囲むように複数の前記メニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える。
【００１９】
請求項６の構成によれば、回転操作部を傾けた方向のメニュー画像にフォーカスを設定することにより、単に回転操作部を所望するメニュー画像の方向に傾けるだけで、メニュー画像のフォーカスを切り替えることができる。これにより例えばリング形状に複数のメニュー画像を配置したメニュー画面において、反対側に配置したメニュー画像にフォーカスを切り替える場合でも、迅速にフォーカスを切り替えることができる。
またこの回転操作部を回転させることにより、フォーカスを切り替えた後、即座にメニュー画面の階層を切り替えることができ、階層構造によるメニュー画面において、ブラインド操作可能に、簡易かつ迅速に、一連の操作を実行することができる。
これらによりブラインド操作可能に多数のメニュー画像を表示して操作を受け付ける構成において、迅速に所望するメニュー画像を選択することができる。
【００２０】
請求項７の発明は、演算処理回路における実行により所定の処理手順を実行させる車両用表示装置の制御プログラムにおいて、
前記処理手順は、
回転操作部を傾けることにより、傾けた方向の方向入力が可能な回転操作子による操作部から、前記方向入力に係る傾き方向情報と、前記回転操作部の回転操作に係る回転情報とを取得する操作情報取得ステップと、
表示部の表示を制御する表示制御ステップとを備え、
前記表示制御ステップは、
メニュー画像配置中心を囲むように複数のメニュー画像を配置したメニュー画面を前記表示部により表示し、
前記傾き方向情報に基づいて、前記メニュー画像配置中心から前記回転操作部を傾けた方向の前記メニュー画像にフォーカスを設定し、
前記回転情報に基づいて、前記回転操作部の回転により、表示に供する前記メニュー画面の階層を切り替える。
【００２１】
請求項７の構成によれば、回転操作部を傾けた方向のメニュー画像にフォーカスを設定することにより、単に回転操作部を所望するメニュー画像の方向に傾けるだけで、メニュー画像のフォーカスを切り替えることができる。これにより例えばリング形状に複数のメニュー画像を配置したメニュー画面において、反対側に配置したメニュー画像にフォーカスを切り替える場合でも、迅速にフォーカスを切り替えることができる。
またこの回転操作部を回転させることにより、フォーカスを切り替えた後、即座にメニュー画面の階層を切り替えることができ、階層構造によるメニュー画面において、ブラインド操作可能に、簡易かつ迅速に、一連の操作を実行することができる。
これらによりブラインド操作可能に多数のメニュー画像を表示して操作を受け付ける構成において、迅速に所望するメニュー画像を選択することができる。
【発明の効果】
【００２２】
本発明の車両用表示装置、車両用表示装置の制御方法、車両用表示装置の制御プログラムによれば、ブラインド操作可能に多数のメニュー画像を表示して操作を受け付ける構成において、迅速に所望するメニュー画像を選択することができる。
【図面の簡単な説明】
【００２３】
【図１】本発明の実施形態に係る車両用表示装置を示すブロック図である。
【図２】操作部を示す図である。
【図３】図１の車両用表示装置におけるメニュー画面の説明に供する図である。
【図４】フォーカスの設定の説明に供する図である。
【図５】メニュー画面の階層の切り替えの説明に供する図である。
【図６】メニュー画面の階層の切り替えの説明に供するフローチャートである。
【発明を実施するための形態】
【００２４】
〔第１実施形態〕
図１は、本発明の第１実施形態に係る車両１を示す図である。
この車両１は、車両用表示装置１０により、ウインドシールド２を介して前方を視認したドライバーの視界に、虚像により各種のメニュー画像を表示し、ドライバーによる操作を受け付ける。さらにこのドライバーによる操作に応じて各部の動作を制御する。
【００２５】
このため車両１は、ダッシュボード内に、ヘッドアップディスプレイ装置による車両用表示装置１０を備え、さらにこの車両用表示装置１０による制御対象である車両ＥＣＵ（ｅｎｇｉｎｅ  ｃｏｎｔｒｏｌ  ｕｎｉｔ）４、ナビＥＣＵ５、オーディオＥＣＵ６、空調ＥＣＵ７、外部通信部８を備え、さらにドライバーの操作を受け付ける操作部９を備える。
【００２６】
ここで車両ＥＣＵ４は、この車両１の走行を制御するコントローラであり、車両用表示装置１０とデータ通信可能に構成される。車両ＥＣＵ４は、このデータ通信により、車両用表示装置１０における処理に必要な情報（例えば車両１の走行モード、平均燃費、走行可能距離（航続可能距離）、水温、油温、車速、各種の警告等の車両情報）を通知し、さらに車両用表示装置１０から通知されるドライバーによる走行モードの選択によりこの車両１の走行モードを切り替える。なおこの走行モードは、例えばスポーツモード、エコモードの走行モードである。
【００２７】
ナビＥＣＵ５は、ナビゲーションの処理に係るコントローラであり、車両用表示装置１０とのデータ通信により、車両用表示装置１０における処理に必要な情報を通知し、また車両用表示装置１０から通知されるドライバーの選択により動作を切り替え、ナビゲーションの処理に係る各種の画像情報（例えばルートガイド等の画像情報）を車両用表示装置１０に通知する。
なおナビＥＣＵ５は、ナビゲーションの処理において、さらに次の分岐路の方向及びこの分岐路までの距離に関する情報、車両１の経路付近に位置するお勧めの経由地に関する施設情報、この経由地を経由した場合にロスする時間などの情報を出力可能に構成され、車両用表示装置１０は、これらの情報についても、ドライバーの指示により取得して表示する。
【００２８】
オーディオＥＣＵ６は、この車両１に設けられたオーディオシステムを制御するコントローラであり、車両用表示装置１０とのデータ通信により、車両用表示装置１０における処理に必要な情報（例えば放送チャンネルの情報等である）を車両用表示装置１０に通知し、さらには車両用表示装置１０からの通知によりドライバーの操作に応じてオーディオシステムを制御する。
【００２９】
空調ＥＣＵ７は、この車両１の空調を制御するコントローラであり、車両用表示装置１０とのデータ通信により、車両用表示装置１０における処理に必要な情報（空調に係る各種の情報）を車両用表示装置１０に通知し、さらに車両用表示装置１０からの通知によりドライバーの操作に応じて空調を制御する。
【００３０】
外部通信部８は、無線、有線により、この車両１に搭載された各種の情報機器（例えばスマートフォン等である）との間のデータ通信に供するコントローラである。車両１は、この外部通信部８と車両用表示装置１０とのデータ通信により、この車両１に持ち込まれた各種の情報機器と車両用表示装置１０との間でデータ通信し、車両用表示装置１０における処理に必要な情報を取得して車両用表示装置１０に通知し、また車両用表示装置１０からの通知を対応する情報機器に通知する。これにより車両１では、外部機器を使用して、電話による通話、電子メールの閲覧、ブラウザによるインターネットの閲覧等を実行できるように構成される。
【００３１】
〔操作部〕
図２は、操作部９の構成を示す図であり、図２（Ａ）、（Ｂ）は、操作部９を側方、やや上方より見て示す図であり、図２（Ｃ）は、操作部９を上方より見て示す平面図である。
操作部９は、ジョイスティックのように方向入力が可能であって、回転操作可能な回転操作子であり、運転中のドライバーが手を伸ばして操作可能な部位に配置される。
この実施形態において、操作部９は、方向入力、回転操作に供する回転操作部９Ａが、先端側に向かって徐々に太さが太くなる断面円形形状による棒形状により形成され、回転操作部９Ａを操作可能に、インストルメントパネルのパネル面Ｈよりこの回転操作部９Ａが突出するように配置される。
【００３２】
操作部９は、矢印Ｌ及びＲにより示すように、左回り（反時計回り）、右回り（時計回り）に回転操作部９Ａを回転操作可能に構成され、さらにこの回転操作部９Ａの回転操作量、回転方向を検出可能に構成される。これにより操作部９は、この回転操作に係る検出機構と、回転操作部９Ａとにより、ドライバーによる回転操作の入力を受け付ける回転操作入力部９Ｃ（図１）が構成される。
また操作部９は、矢印Ｋにより示すように、回転操作部９Ａを傾けて、傾けた方向を検出可能に構成される。これにより操作部９は、この傾ける操作に係る検出機構と、回転操作部９Ａとにより、ドライバーにより回転操作部９Ａを傾けて方向の入力を受け付ける方向入力部９Ｂ（図１）が構成される。
【００３３】
〔車両用表示装置〕
車両用表示装置１０は、操作部９の操作により、ウインドシールド２を介して前方を視認したドライバーの視界に、虚像により各種のメニュー画像を表示し、ドライバーによる操作を受け付ける。さらにこのドライバーによる操作に応じて車両ＥＣＵ４、ナビＥＣＵ５、オーディオＥＣＵ６、空調ＥＣＵ７、外部通信部８にメニュー画像の選択を通知して各部の動作を制御する。またこの一連の処理において、メニュー画像の生成に必要な各種の情報等を車両ＥＣＵ４、ナビＥＣＵ５、オーディオＥＣＵ６、空調ＥＣＵ７、外部通信部８から取得する。
なおこの実施形態において、車両用表示装置１０は、車両１に据え付けられているものの、ドライバーが携帯する情報携帯端末により構成するようにしてもよい。
またこの実施形態において、車両用表示装置１０は、ヘッドアップディスプレイ装置による構成に限らず、ヘッドマウントディスプレイ装置等、ドライバーの前方空間に虚像により画像を表示する各種の構成を広く適用することができる。
またさらにヘッドアップディスプレイ装置、ヘッドマウントディスプレイ装置等、ドライバーの前方空間に虚像により画像を表示する構成に限らず、インストルメントパネル内、インストルメントパネル上に設けられる画像表示パネルによる構成にも広く適用することができる。
【００３４】
車両用表示装置１０は、表示部１１、入出力インターフェース（入出力ＩＦ）１２、操作情報取得部１３、表示制御部１４を備える。
車両用表示装置１０は、車両用表示装置の制御プログラムを演算処理回路で実行することにより、操作情報取得部１３、表示制御部１４が構成される。
これによりこの制御プログラムの実行による処理手順は、操作情報取得部１３、表示制御部１４にそれぞれ対応して、対応する処理を実行する操作情報取得ステップ、表示制御ステップを備える。
【００３５】
表示部１１は、表示に供する画像を虚像により形成する部位であり、画像表示パネル、この画像表示パネルの周辺回路、この画像表示パネルの出射光をウインドシールド２に向けて出射する光学系等により形成される。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００３６】
入出力インターフェース１２は、制御対象との間のデータ通信に供する構成であり、表示制御部１４の制御により、制御対象である車両ＥＣＵ４、ナビＥＣＵ５、オーディオＥＣＵ６、空調ＥＣＵ７、外部通信部８からメニュー画像の表示等に必要な情報を取得して表示制御部１４に出力し、また表示制御部１４から出力される各種の情報を対応する制御対象に出力する。
【００３７】
操作情報取得部１３は、操作部９において回転操作部９Ａを傾けて入力される方向入力に係る傾き方向情報と、回転操作部９Ａの回転操作に係る回転情報（回転方向と回転操作量の情報である）とを取得して表示制御部１４に出力する。
【００３８】
表示制御部１４は、表示部１１の表示を制御する構成であり、所定のメニュー画面を表示してドライバーによる操作を受け付けて各部の動作を制御する。
この実施形態において、このメニュー画面は、階層構造により形成され、表示制御部１４は、入出力インターフェース１２を介して制御対象から必要な情報を取得してこの階層構造によるメニュー画面を表示部１１により表示する。
このメニュー画面の表示において、表示制御部１４は、画像表示領域１０Ａのドライバー側下部に、円形形状によりメニュー表示領域２０を形成し、このメニュー表示領域２０でメニュー画面を表示する。
【００３９】
〔メニュー画面〕
図３は、このメニュー表示領域２０におけるメニュー画面の説明に供する図である。
図３（Ａ）は、メインメニュー画面Ｍを示す図である。また図３（Ｂ）は、このメインメニュー画面Ｍにおいて、空調のメニューが選択された場合に表示されるサブメニュー画面Ｓ１を示す平面図であり、図３（Ｃ）は、このサブメニュー画面Ｓ１において、温度調整のメニューが選択された場合に表示されるサブメニュー画面Ｓ２である。
【００４０】
メインメニュー画面Ｍにおいては、円形形状のメニュー表示領域２０の中心Ｏが、メニュー画像配置中心に設定され、このメニュー画像配置中心Ｏを囲むようにメニュー画像が配置される。
より具体的に、メインメニュー画面Ｍは、メニュー表示領域２０の外形を示す仮想線（メニュー表示領域以外の領域との境界線である）ＬＬに沿って、メインメニュー画面Ｍにて選択可能なメニューに対応する複数のメニュー画像２１Ａ〜２１Ｆを順次配置して形成される。
この実施形態において、このメニュー画像２１Ａ〜２１Ｆは、メニュー表示領域２０を内外周の領域に分割して形成された外周側領域を放射状に分割した小領域２０Ａ〜２０Ｆにそれぞれ表示され、これにより扇形状による小領域にそれぞれ表示される。
これによりメインメニュー画面Ｍは、リング形状により順次メニュー画像２１Ａ〜２１Ｆを配置して形成される。
【００４１】
ここでこのメインメニュー画面Ｍは、扇形状による第１の小領域２０Ａに、オーディオシステムの操作を選択するメニュー画像２１Ａが表示される。ここでこのメニュー画像２１Ａは、イヤホンのイラストによるアイコンと、現在再生中のコンテンツの再生時間（「Ｔｉｍｅ  ３：１０」の表示である）を配置して形成されている。
また続く第２の小領域２０Ｂに、空調の操作を選択するメニュー画像２１Ｂが、アイコンにより表示されている。
また続く第３の小領域２０Ｃには、電話の操作を選択するメニュー画像２１Ｃが、アイコンにより表示されている。
また続く第４の小領域２０Ｄには、電子メールに関する操作を選択するメニュー画像２１Ｄが、アイコンにより表示されている。
また続く第５及び第６の小領域２０Ｅ及び２０Ｆには、車両１の走行モードをエコモード及びスポーツモードに設定するメニュー画像２１Ｅ及び２１Ｆがそれぞれ割り当てられて、文字表示により表示されている。
【００４２】
またメニュー表示領域２０の中央には、円形形状の画像２２が配置される。
ここでこの車両用表示装置１０では、操作部９で回転操作部９Ａを傾けて、メニュー表示領域２０のメニュー画像配置中心Ｏからこの傾けた方向のメニュー画像２１Ａ〜２１Ｆにフォーカスを設定する。
これにより車両用表示装置１０は、このようにメニュー表示領域２０の中央に円形形状の画像２２を設けることにより、この円形形状の画像２２を基準にして、直感的に、操作部９で回転操作部９Ａを傾けて、所望のメニュー表示領域２０にフォーカスを設定することができ、これにより使い勝手を向上することができる。
【００４３】
またさらにこのメインメニュー画面Ｍは、カーソルＫＫが設けられ、このカーソルＫＫによりフォーカスされているメニュー画像を把握できるように形成される。この図３の例では、カーソルＫＫは、メニュー表示領域２０の中央からフォーカスされているメニュー画像に延長する指針により形成され、これによりスピードメータ、タコメータと同様の感覚により、フォーカスされているメニュー画像を把握できるように構成される。
なおこれに代えて、又はこれに加えて、コントラストの切り替え、色彩の変化等によりフォーカスの設定を表示するようにしてもよい。
【００４４】
表示制御部１４は、このメインメニュー画面Ｍにおいて、ドライバーがエコモード及びスポーツモードに係るメニュー画像２１Ｅ、２１Ｆを選択すると、この走行モードの選択を車両ＥＣＵ４に通知する。これによりこの車両１では、ドライバーの所望する走行モードにより走行することができる。
【００４５】
これに対して電子メール、電話、空調、オーディオシステムに係るメニュー画像２１Ｄ、２１Ｃ、２１Ｂ、２１Ａが選択されると、メインメニュー画面Ｍの表示をサブメニュー画面の表示に切り替える。
【００４６】
ここでサブメニュー画面Ｓ１（図３（Ｂ））は、メインメニュー画面Ｍと同様に、円形形状のメニュー表示領域２０の中心Ｏが、メニュー画像配置中心に設定され、このメニュー画像配置中心Ｏを囲むようにメニュー画像が配置される。
すなわちサブメニュー画面Ｓ１は、円形形状に形成されたメニュー表示領域２０の外形を示す仮想線ＬＬに沿って、対応する複数のメニュー画像２４Ａ〜２４Ｋを順次配置して形成される。
またこれらメニュー画像２４Ａ〜２４Ｋは、メニュー表示領域２０を内外周の領域に分割して形成された外周側領域を放射状に分割した扇形状による小領域にそれぞれ表示される。またメインメニュー画面Ｍと同様に、カーソルＫＫが設けられ、さらに中央には円形形状の画像２５Ａが配置される。
これによりメインメニュー画面Ｍと同様の操作性を確保して使い勝手を向上することができる。
【００４７】
ここでこの空調に係るサブメニュー画面Ｓ１は、この扇形状による第１の小領域に、上位階層のメニュー画面（この場合、メインメニュー画面Ｍである）に表示を戻すメニュー画像２４Ａが割り当てられて表示される。なおこのメニュー画像２４Ａは、折り返しの矢印によるイラストにより形成される。
また続く第２の小領域に、空調の温度を調整するメニュー画像２４Ｂが、現在の設定温度（「２８℃」）によりが表示される。
また続く第３〜第７の小領域には、空調に係る噴き出し口の設定に係るメニュー画像２４Ｃ〜２４Ｇが割り当てられて、アイコン及び文字によりメニュー画像２４Ｃ〜２４Ｇが表示されている。
また続く第８〜第１１の小領域には、空調に係る風量設定のメニュー画像２４Ｈ〜２４Ｋが割り当てられて、文字によりメニュー画像２４Ｈ〜２４Ｋが表示されている。
【００４８】
なお中央の円形形状の画像２５Ａには、空調のサブメニュー画面であることを示す表示（ＡＩＲ  ＣＯＮＴＲＯＬ）２５Ａが設けられ、風量設定のメニュー画像２４Ｈ〜２４Ｋの内側には風量の設定を想起させるファンのイラスト２５Ｂが表示される。
【００４９】
表示制御部１４は、このサブメニュー画面Ｓ１において、噴き出し口を設定するメニュー画像２４Ｃ〜２４Ｇ、風量を設定するメニュー画像２４Ｈ〜２４Ｋが選択されると、この選択を空調ＥＣＵ７に通知する。
これに対して空調の温度を調整するメニュー画像２４Ｂが選択されると、さらに下位階層のメニュー画面である温度設定を受け付けるサブメニュー画面Ｓ２（図３（Ｃ））に表示を切り替える。
【００５０】
ここでこのサブメニュー画面Ｓ２（図３（Ｃ））は、メインメニュー画面Ｍ、サブメニュー画面Ｓ１と同様に、円形形状のメニュー表示領域２０の中心Ｏが、メニュー画像配置中心に設定され、このメニュー画像配置中心Ｏを囲むようにメニュー画像が配置される。
すなわちサブメニュー画面Ｓ２は、円形形状に形成されたメニュー表示領域２０の外形を示す仮想線ＬＬに沿って、対応する複数のメニュー画像２６Ａ〜２６Ｋを順次配置して形成される。
またこれらメニュー画像２６Ａ〜２６Ｋは、メニュー表示領域２０を内外周の領域に分割して形成された外周側領域を放射状に分割した扇形状による小領域にそれぞれ表示される。
またサブメニュー画面Ｓ１と同様に、メニュー表示領域２０の中央に円形形状による画像２７Ａが設けられ、この画像２７Ａに、空調のサブメニュー画面であることを示す表示（ＡＩＲ  ＣＯＮＴＲＯＬ）２７Ａが設けられる。またメインメニュー画面Ｍ、サブメニュー画面Ｓ１と同様に、カーソルＫＫが設けられる。
これによりメインメニュー画面Ｍと同様の操作性を確保して使い勝手を向上することができる。
【００５１】
ここでこの温度設定に係るサブメニュー画面Ｓ２は、第１の小領域に、メインメニュー画面に表示を戻すメニュー画像２６Ａが、「ＭＥＮＵ」の文字により表示され、続く第２の小領域に、上位階層のメニュー画面（この場合、サブメニュー画面Ｓ１である）に表示を戻すメニュー画像２６Ｂが、折り返しの矢印によるイラストにより表示される。
また続く第３〜第１１の小領域に、空調の温度をそれぞれ選択するメニュー画像２６Ｃ〜２６Ｋが、対応する温度の文字により表示される。
【００５２】
これにより表示制御部１４は、メニュー画像２６Ａ、２６Ｂの選択によりメニュー画面の表示を切り替える。またメニュー画像２６Ｃ〜２６Ｋの選択により、対応する温度を空調ＥＣＵ７に通知する。
【００５３】
表示制御部１４は、空調以外の、電子メール、電話、オーディオシステムに係るメニュー画像２１Ｄ、２１Ｃ、２１Ａについても、空調の場合と同様に、必要に応じて下位階層のメニュー画面を表示してドライバーによる選択を受け付けて対応する構成に通知する。
【００５４】
〔メニュー画面の表示制御〕
〔フォーカスの制御〕
図４は、表示制御部１４によるフォーカス制御の説明に供する図である。
表示制御部１４は、上述した各種のメニュー画面において、操作情報取得部１３から出力される傾き方向情報により、操作部９で回転操作部９Ａが傾けられると、メニュー表示領域２０の中心（メニュー画像配置中心）Ｏからこの傾けられた方向のメニュー画像にフォーカスを設定する。これによりこの車両用表示装置１０では、回転操作部９Ａを傾けるだけの簡易な操作により、迅速にフォーカスを切り替えて所望のメニュー画像を選択することができる。
またこのように回転操作部９Ａを傾けてメニュー画像のフォーカスを切り替える操作にあっては、多数のメニュー画像を表示してブラインド操作により実行することができる。
これによりブラインド操作可能に多数のメニュー画像を表示して操作を受け付ける構成において、迅速に所望するメニュー画像を選択することができる。
【００５５】
具体的に、例えばメインメニュー画面Ｍを表示している状態で（図４（Ａ））、図４（Ｂ１）において矢印Ｋにより示すように、上方から時計回りの４５度の方向に回転操作部９Ａが傾けられた場合、表示制御部１４は、図４（Ｃ１）に示すように、メニュー画像配置中心Ｏより見て、上方より時計回りに４５度の方向に配置したメニュー画像２１Ａにフォーカスを切り替える。
また図４（Ｂ２）に示すように、下方から時計回りの４５度の方向に回転操作部９Ａが傾けられた場合、表示制御部１４は、図４（Ｃ２）に示すように、メニュー画像配置中心Ｏより見て、下方より時計回りに４５度の方向に配置したメニュー画像２１Ｃにフォーカスを切り替える。
【００５６】
〔階層の切り替え制御〕
図５は、表示制御部１４によるメニュー画面の階層の切り替えの説明に供する図である。
表示制御部１４は、回転情報により、回転操作部９Ａが一方向（この実施形態では右回り（時計回り）の方向である）に回転操作されると、フォーカスが設定されたメニュー画像の選択を受け付けて、このフォーカスが設定されたメニュー画像の下位階層のメニュー画面に表示を切り替える。
またこれとは逆に、回転操作部９Ａが一方向とは逆方向（この実施形態では左回り（反時計回り）の方向である）に回転操作されると、上位階層にメニュー画面の表示を切り替える。
【００５７】
具体的に、例えばメインメニュー画面Ｍを表示している状態で（図５（Ａ））、図５（Ｂ２）により示すように、右回りに回転操作部９Ａが回転操作された場合、表示制御部１４は、図５（Ｃ）に示すように、メインメニュー画面Ｍの下位階層のサブメニュー画面Ｓ１に表示を切り替える。
またさらにサブメニュー画面Ｓ１を表示している状態で（図５（Ｃ））、図５（Ｄ２）により示すように、右回りに回転操作部９Ａが回転操作された場合、表示制御部１４は、図５（Ｅ）に示すように、サブメニュー画面Ｓ１の下位階層のサブメニュー画面Ｓ２に表示を切り替える。
【００５８】
またこれとは逆に、例えばサブメニュー画面Ｓ２を表示している状態で（図５（Ｅ））、図５（Ｄ１）により示すように、左回りに回転操作部９Ａが回転操作された場合、表示制御部１４は、図５（Ｃ）に示すように、サブメニュー画面Ｓ２の上位階層のサブメニュー画面Ｓ１に表示を切り替える。
またさらにサブメニュー画面Ｓ１を表示している状態で（図５（Ｃ））、図５（Ｂ１）により示すように、左回りに回転操作部９Ａが回転操作された場合、表示制御部１４は、図５（Ａ）に示すように、サブメニュー画面Ｓ１の上位階層のメインメニュー画面Ｍに表示を切り替える。
【００５９】
これらの処理において、下位階層のメニュー画面が存在しない場合（フォーカスが設定されたメニュー画像においては、このメニュー画像に係るメニュー画面が最下位層の場合である）にあって、右回りに回転操作部９Ａが回転操作された場合、フォーカスが設定されているメニュー画像の選択を受け付け、このメニュー画像の選択を対応する制御対象に通知する。これにより車両用表示装置１０は、ドライバーの選択操作に応動するように、各部の動作を制御する。
またさらに表示制御部１４は、このメニュー画像の選択により設定される設定内容を一時的に表示する。
【００６０】
これにより例えばサブメニュー画面Ｓ１で風量を最強に設定するメニュー画像２４Ｊにフォーカスが設定されている状態で、右回りに回転操作部９Ａが回転操作された場合、風量を最強に設定する旨を一時的に表示し、また空調ＥＣＵ７にこのメニュー画像の選択を通知する。
またメインメニュー画面Ｍにおいて走行モードに係るエコモードのメニュー画像２１Ｅにフォーカスが設定されている状態で、右回りに回転操作部９Ａが回転操作された場合、走行モードをエコモードに設定する旨を一時的に表示し、このメニュー画像の選択を車両ＥＣＵ４に通知する。
なおこれらの表示は、例えば対応するメニュー画像の領域を拡大してメッセージにより表示したり、メニュー画面の上にメッセージをオーバーレイしたりして表示される。
これにより車両用表示装置１０では、各メニュー画像で設定した内容を確認する操作子としても操作部９を利用可能に構成され、一段と使い勝手を向上することができる。
【００６１】
また最上位階層であるメインメニュー画面Ｍを表示した状態で、左回りに回転操作部９Ａが回転操作された場合、この操作を無視してメインメニュー画面Ｍを表示し続ける。
なおこの場合、メニュー画面の表示を中止するようにしてもよい。またこの表示の中止の処理に対応するように、何らメニュー画面を表示していない状態で、右回りに回転操作部９Ａが回転操作された場合、メインメニュー画面Ｍを表示するようにしてもよい。このようにすれば、操作部９を、メニュー画面の表示、非表示を切り替える操作子として利用することができる。
【００６２】
このようにしてメニュー画面の表示を切り替えるようにして、表示制御部１４は、回転情報により、回転操作部９Ａの回転操作量を判定基準値により判定し、回転操作量が判定基準値以上であって、この回転操作量に係る回転操作が左回りの場合、途中階層のメニュー画面を飛び越して最上位階層のメインメニュー画面Ｍに表示を切り替える。
これにより一段と迅速に所望するメニュー画像を選択することができる。
【００６３】
またこれとは逆に、判定基準値以上の回転操作量により右回りに回転操作部９Ａが回転操作された場合、フォーカスが設定されているメニュー画像に関する現状の設定内容を一時的に表示する。
具体的に、例えばサブメニュー画面Ｓ１で風量を設定するメニュー画像２４Ｊにフォーカスが設定されている状態で、判定基準値以上の回転操作量により右回りに回転操作部９Ａが大きく回転操作された場合、現状の風量の設定値を一時的に表示する。
またメインメニュー画面Ｍにおいて走行モードに係るエコモードのメニュー画像２１Ｅ、又はスポーツモードのメニュー画像２１Ｆにフォーカスが設定されている状態で、右回りに回転操作部９Ａが大きく回転操作された場合、現在設定されている走行モードを一時的に表示する。
なおこれらの表示は、例えば対応するメニュー画像の領域を拡大してメッセージにより表示したり、メニュー画面の上にメッセージをオーバーレイしたりして表示される。
これにより車両用表示装置１０では、設定されている内容を簡易に確認することができ、一段と使い勝手を向上することができる。
【００６４】
図６は、この階層の切り替え制御に係る表示制御部１４の処理手順を示すフローチャートである。
表示制御部１４は、操作情報取得部１３から傾き方向情報、回転情報を取得し（ＳＰ１−ＳＰ２−ＳＰ３）、回転操作量を判定基準値（Ｘ〔ｒａｄ〕）により判定する（ＳＰ４）。
回転操作量が判定基準値未満の場合、回転操作量が小さいことにより、回転が右回りか否か判断し（ＳＰ５）、回転が左回りの場合、上位階層にメニュー画面の表示を切り替える（ＳＰ６）。
これに対して回転が右回りの場合、下位階層にメニュー画面の表示を切り替える（ＳＰ７）。
これにより車両用表示装置１０では、回転操作部９Ａの回転操作によりメニュー画面の階層を切り替えることができる。
【００６５】
このように下位階層にメニュー画面の表示を切り替える場合にあっては、それまでのメニュー画面が最下位層か否か判断し（ＳＰ８）、最下位層でない場合には、下位階層にメニュー画面の表示を切り替えるのに対し（ＳＰ８−ＳＰ２）、最下位層である場合、ドライバーにより選択されているメニュー画像であるフォーカスが設定されているメニュー画像の選択を対応する機器に通知し、さらにこのメニュー画像による設定内容を一時的に表示する（ＳＰ８−ＳＰ９−ＳＰ１０）。
【００６６】
これに対して回転操作量が判定基準値以上の場合、回転操作量が大きいことにより、回転が右回りか否か判断し（ＳＰ４−ＳＰ１１）、回転が左回りの場合、途中階層のメニュー画面を飛び越して最上位階層にメニュー画面（メインメニュー画面）の表示を切り替える（ＳＰ１２）。
これに対して回転が右回りの場合、フォーカスが設定されているメニュー画像に係る現状の設定内容を一時的に表示する（ＳＰ１１−ＳＰ１３）。
【００６７】
以上の構成によれば、回転操作部を傾けた方向のメニュー画像にフォーカスを設定し、回転操作部の回転により、表示に供するメニュー画面の階層を切り替えることにより、単に回転操作部を所望するメニュー画像の方向に傾けるだけで、メニュー画像のフォーカスを切り替えることができ、例えばリング形状に複数のメニュー画像を配置したメニュー画面において、反対側に配置したメニュー画像にフォーカスを切り替える場合でも、迅速にフォーカスを切り替えることができる。また続いて回転操作部を回転させることにより、フォーカスを切り替えた後、即座にメニュー画面の階層を切り替えることができ、階層構造によるメニュー画面において、ブラインド操作可能に、簡易かつ迅速に、一連の操作を実行することができる。
これらによりブラインド操作可能に多数のメニュー画像を表示して操作を受け付ける構成において、迅速に所望するメニュー画像を選択することができる。
【００６８】
またさらに、回転操作部の一方向への回転である右回りの操作により下位階層のメニュー画面に表示を切り替え、これとは逆方向である左回りの操作により、上位階層のメニュー画面に表示を切り替えることにより、回転操作部の回転方向を切り替えて、メニュー画面の階層を切り替えることができ、一段と迅速に所望するメニュー画像を選択することができる。
【００６９】
またさらに回転操作量が判定基準値以上の場合、逆方向への回転により、最上位階層のメニュー画面に表示を切り替えることにより、途中階層のメニュー画面を飛び越して最上位階層のメニュー画面に表示を切り替えることができ、一段と迅速に所望するメニュー画像を選択することができる。
【００７０】
またさらに、リング形状により順次メニュー画像を配置してメニュー画面を形成することにより、具体的構成により、ブラインド操作可能に多数のメニュー画像を表示して操作を受け付ける構成において、迅速に所望するメニュー画像を選択することができる。
【００７１】
〔他の実施形態〕
以上、本発明の実施に好適な具体的な構成を詳述したが、本発明は、本発明の趣旨を逸脱しない範囲で、上述の実施形態の構成を種々に変更することができる。
【００７２】
すなわち上述の実施形態では、右回り及び左回りの操作により、それぞれ下位階層及び上位階層にメニュー画面の表示を切り替える場合について述べたが、本発明はこれに限らず、これとは逆に、右回り及び左回りの操作により、それぞれ上位階層及び下位階層にメニュー画面の表示を切り替えるようにしてもよい。
【００７３】
また上述の実施形態では、リング形状により順次メニュー画像を表示する場合について述べたが、本発明はこれに限らず、例えば半円弧形状により順次メニュー画像を表示する場合、矩形形状等の多角形形状により順次メニュー画像を表示する場合等にも広く適用することができる。
またさらに連続したメニュー画像の配置に代えて、隣接するメニュー画像間に一定のスペースを設けるようにして、離散的にメニュー画像を配置する場合等、種々の形態によりメニュー画像を配置してメニュー画面を形成する場合に広く適用することができる。
【００７４】
また上述の実施形態では、車両ＥＣＵ、ナビＥＣＵ、オーディオＥＣＵ、空調ＥＣＵ、外部通信部に係るメニュー画像を表示する場合について述べたが、本発明はこれに限らず、これら以外のメニュー画像を表示する場合にも広く適用することができる。
【符号の説明】
【００７５】
１  車両
２  ウインドシールド
４  車両ＥＣＵ
５  ナビＥＣＵ
６  オーディオＥＣＵ
７  空調ＥＣＵ
８  外部通信部
９  操作部
９Ａ  回転操作部
９Ｂ  方向入力部
９Ｃ  回転操作入力部
１０  車両用表示装置
１１  表示部
１２  入出力インターフェース
１３  操作情報取得部
１４  表示制御部
２０  メニュー表示領域
２１Ａ〜２１Ｆ、２４Ａ〜２４Ｋ、２６Ａ〜２６Ｋ  メニュー画像
【図１】
2020050054.tif 000003
【図２】
2020050054.tif 000004
【図３】
2020050054.tif 000005
【図４】
2020050054.tif 000006
【図５】
2020050054.tif 000007
【図６】
2020050054.tif 000008